(57)【特許請求の範囲】
【請求項１】
ヨウ素と包接錯体を形成するホスト物質およびヨウ化カリウムを含む検知成分に、酸化性ガスが含まれた測定対象の気体を接触させる前後の、ヨウ素の光吸収波長域における前記検知成分の光吸収の変化により前記酸化性ガスの測定を行う
ことを特徴とする酸化性ガスの測定方法。
【請求項２】
請求項１記載の酸化性ガスの測定方法において、
前記検知成分が溶解した検知溶液を前記測定対象の気体に接触させる前後の、ヨウ素の光吸収波長域における前記検知溶液の光吸収の変化により前記酸化性ガスの測定を行う
ことを特徴とする酸化性ガスの測定方法。
【請求項３】
請求項１記載の酸化性ガスの測定方法において、
前記検知成分は、透明な多孔体の細孔内に配置され、
前記多孔体を前記測定対象の気体中に配置することにより、前記検知成分に前記測定対象の気体を接触させ、
前記多孔体を前記測定対象の気体中に配置する前後の、ヨウ素の光吸収波長域における前記多孔体の光吸収の変化により前記酸化性ガスの測定を行う
ことを特徴とする酸化性ガスの測定方法。
【請求項４】
請求項１〜３のいずれか１項に記載の酸化性ガスの測定方法において、
前記ホスト物質は、糖類から構成されたものであることを特徴とする酸化性ガスの測定方法。
【請求項５】
請求項４記載の酸化性ガスの測定方法において、
前記糖類は、α−シクロデキストリン，β−シクロデキストリン，γ−シクロデキストリン，アミロース，およびアミロペクチンの中より選択されたものであることを特徴とする酸化性ガスの測定方法。
【請求項６】
請求項１〜３のいずれか１項に記載の酸化性ガスの測定方法において、
前記ホスト物質は、水溶性の高分子から構成されたものであることを特徴とする酸化性ガスの測定方法。
【請求項７】
請求項６記載の酸化性ガスの測定方法において、
前記高分子は、ポリビニルアルコールであることを特徴とする酸化性ガスの測定方法。
【請求項８】
ヨウ素の光吸収波長域の波長の光を放出する発光部と、
この発光部の光放出面に受光面を対向して配置されて前記受光面が受光した光量に応じた電気信号を出力する光検出部と、
前記発光部と前記光検出部との間に配置されたガス検知素子と、
前記光検出部が出力した電気信号の状態を計測する電気計器と
を少なくとも備え、
前記ガス検知素子は、透明な多孔体と、この多孔体の細孔内に配置され、ヨウ素と包接錯体を形成するホスト物質およびヨウ化カリウムとを備える
ことを特徴とする測定装置。
【発明の詳細な説明】
【技術分野】
【０００１】
本発明は、光化学オキシダントなどの酸化性ガスを測定する酸化性ガスの測定方法、酸化性ガスの測定のためのガス検知素子および測定装置に関するものである。
【背景技術】
【０００２】
現在、ＮＯx，ＳＰＭ，および光化学オキシダントなどの酸化性ガスによる大気汚染が生じ、環境への影響が問題とされている。光化学オキシダントは工場、事業所や自動車から排出されるＮＯxや炭化水素などの汚染物質が、太陽光線の照射を受けて光化学反応により生成し、光化学スモッグの原因となっている。
【０００３】
日本では、例えば大気中の光化学オキシダント濃度に環境基準が設定され、各地で常時監視局での自動測定法によるガス濃度測定が行われている。この環境基準としては、１時間当たりの平均値が、６０ｐｐｂ以下となっている。これらのガス濃度測定器は、数ｐｐｂの微量なガスの測定が可能であるが、高価でかつ維持のための整備を必要とする。また、自動測定する場合には、電力をもちいるなど膨大な経費がかかる上、電源および標準ガスや設置場所の確保が必要であるなど制約が多い。
【０００４】
しかし、ガス濃度の分布調査や地球環境影響評価を精度良く行うためには、観測点を多くしてより広範囲に全国規模で環境の監視を行う必要がある。このためには、安価，小型，かつ使い方が簡便なガスセンサーあるいは簡易測定法（あるいはモニタリング装置）を用い、測定している時間内における総ガス量を計量するなどの蓄積的な測定が考えられる。現在、半導体ガスセンサー，固体電解質ガスセンサー，電気化学式ガスセンサー，および水晶発振式ガスセンサーなど幅広く開発が進んでいる。
【０００５】
【特許文献１】特許第３２５７６２２号公報
【非特許文献１】J.W,Minns, et al., "α-Cyclodextrin-I3 Host-Guest Complex in Aqueous Solution: Theoritical and Experimental Studies", J.Phys.Chem.A, Vol.106, pp.6421-6425, 2002.
【非特許文献２】原田  明著、「包接化合物の化学とヨウ素」、ヨウ素利用研究会、ＦＩＵ  Report、Ｎｏ．３、３７−４０頁、２０００年。
【発明の開示】
【発明が解決しようとする課題】
【０００６】
しかし、上述したガスセンサーは短時間での応答を評価するために開発されたものであり、データの蓄積が必要な監視用に開発されたものは少ない。また、検出感度がサブｐｐｍ程度であるために実環境の濃度（例えば光化学オキシダントでは約１０ｐｐｂ）には対処できない。また、多くの場合、他ガスによる影響が無視できない。
【０００７】
また、検知管式気体測定器を使う方法についても、測定する場所での短時間での測定を目的として開発されたものであり、蓄積的な使用は難しい。さらに、測定者が現場に行かなければならないこと、および色を読みとる際に個人差が出るなどの問題がある。また多くの場合、他ガスの干渉または妨害が問題となる。
【０００８】
また、簡易測定法としては、吸引ポンプにより精製水で洗浄したガラス瓶に空気が混じらないように試料ガスを採取し、水中の光化学オキシダントをヨウ化カリウム溶液に吸収させ、析出したヨウ素を滴定する方法がある。しかしながら、この方法では、試料ガスだけでなくポンプなどの周辺機器が必要であり、また、採水した後すぐにｐＨの調整が必要となり、加えて、検出するための処理が必要であるなどの問題がある。また、この方法では、ヨウ素が徐々に蒸発するため、分析を迅速に行う必要もある。
【０００９】
また、シリカゲルを混和した多孔質材からなるシート状担体に、でんぷんおよびヨウ化カリウムを担持させ、ヨウ素でんぷん反応を用いて光化学オキシダントを測定する検知紙が知られている（特許文献１参照）。この検知紙を用いた測定では、光化学オキシダントとヨウ化カリウムの反応から生成されるヨウ素を、ヨウ素でんぷん反応により検出しているが、この場合においても、反応により生成したヨウ素が徐々に蒸発してしまうため、蓄積的な測定ができないという問題点がある。
【００１０】
以上をまとめると、従来では、光化学オキシダントなどの酸化性ガスの測定では、高価で大がかりな装置構成が必要となり、また手間がかかって容易に測定できないとう問題があった。
【００１１】
この発明は、以上のような問題点を解消するためになされたものであり、より簡便に蓄積的な酸化性ガスの測定ができるようにすることを目的とする。
【課題を解決するための手段】
【００１２】
本発明に係る酸化性ガスの測定方法は、ヨウ素と包接錯体を形成するホスト物質およびヨウ化カリウムを含む検知成分に、酸化性ガスが含まれた測定対象の気体を接触させる前後の、ヨウ素の光吸収波長域における検知成分の光吸収の変化により酸化性ガスの測定を行うようにしたものである。
【００１３】
上記酸化性ガスの測定方法において、検知成分が溶解した検知溶液を測定対象の気体に接触させる前後の、ヨウ素の光吸収波長域における検知溶液の光吸収の変化により酸化性ガスの測定を行う。
【００１４】
上記酸化性ガスの測定方法において、検知成分は、透明な多孔体の細孔内に配置され、多孔体を測定対象の気体中に配置することにより、検知成分に測定対象の気体を接触させ、多孔体を測定対象の気体中に配置する前後の、ヨウ素の光吸収波長域における多孔体の光吸収の変化により酸化性ガスの測定を行う。
【００１７】
また、本発明に係る測定装置は、ヨウ素の光吸収波長域の波長の光を放出する発光部と、この発光部の光放出面に受光面を対向して配置されて受光面が受光した光量に応じた電気信号を出力する光検出部と、発光部と光検出部との間に配置されたガス検知素子と、光検出部が出力した電気信号の状態を計測する電気計器とを少なくとも備え、ガス検知素子は、透明な多孔体と、この多孔体の細孔内に配置され、ヨウ素と包接錯体を形成するホスト物質およびヨウ化カリウムとを備えるものである。
【００１８】
なお、ホスト物質は、糖類から構成されたものであればよい。例えば、糖類は、α−シクロデキストリン，β−シクロデキストリン，γ−シクロデキストリン，アミロース，およびアミロペクチンの中より選択されたものである。また、ホスト物質は、水溶性の高分子から構成されたものであればよい。例えば、高分子は、ポリビニルアルコールである。
【発明の効果】
【００１９】
以上説明したように、本発明によれば、検知成分を、ヨウ化カリウムに加え、ヨウ素と包接錯体を形成するホスト物質から構成したので、より簡便に蓄積的な酸化性ガスの測定ができるようになるという優れた効果が得られる。
【発明を実施するための最良の形態】
【００２０】
以下、本発明の実施の形態について図を参照して説明する。
【００２１】
［実施の形態１］
始めに、本発明の実施の形態１について説明する。図１は、本発明の実施の形態１におけるガス検知素子１００の一部構成を模式的に示す概略的な断面図である。ガス検知素子１００は、複数の細孔１０１を備える透明な多孔質ガラス（多孔体）１０２と、細孔１０１内に担持（配置）されたヨウ化カリウム１０３と、ヨウ素と包接錯体を形成するホスト物質１０４とを備えるようにしたものである。ホスト物質１０４は、例えば、α−シクロデキストリン，β−シクロデキストリン，γ−シクロデキストリン，アミロース，およびアミロペクチンなどの糖類や、ポリビニルアルコールなどの水溶性の高分子である。なお、細孔１０１は、多孔質ガラス１０２の表面から内部にまで連結した貫通細孔となっている。
【００２２】
ガス検知素子１００は、細孔１０１内にヨウ化カリウム１０３およびホスト物質１０４を含む検知成分（検知剤）が配置（担持）されていればよい。なお、本発明におけるガス検知素子は、多孔体として多孔質ガラスに限らず、透明なプラスチックから構成された多孔体を用いるようにしてもよい。本発明におけるガス検知素子の趣旨は、透明な多孔体と、この細孔内にヨウ化カリウムおよびヨウ素と包接錯体を形成するホスト物質とが配置されているところにある。
【００２３】
多孔質ガラス１０２は、例えば、コーニング社により開発されたバイコール（Ｖｙｃｏｒ：登録商標）による多孔質ガラスであり、例えば、バイコール７９３０である。バイコール７９３０は、平均細孔径４．２ｎｍであり、比表面積が約２００（ｍ2／ｇ）である。また、多孔質ガラス１０２は、例えば、８（ｍｍ）×８（ｍｍ）で厚さ１（ｍｍ）のチップサイズである。なお、このように板状に限らず、円筒状にしてもよい。
【００２４】
本実施の形態１におけるガス検知素子１００によれば、細孔１０１内に酸化性ガスが進入すると、細孔１０１内に配置されているヨウ化カリウム１０３が酸化性ガスと反応し、ヨウ素が生成される。このようにして細孔１０１内で生成されたヨウ素は、ホスト物質１０４と包接錯体を形成する。このようにして酸化性ガスの存在によりヨウ素が生成されたガス検知素子１００では、ヨウ素の光吸収波長（３６５ｎｍ）付近の波長の光学透過率が変化するため、酸化性ガスの検知素子として機能する。
【００２５】
また、生成したヨウ素は、ホスト物質１０４と包括錯体を形成するため、蒸発することが抑制されるようになり、例えば、時間が経過しても、ヨウ素の存在による光学透過率の状態が変化することがなくなる。ヨウ素の分析においては、ヨウ素の蒸発を防ぐためにα−シクロデキストリンとの包接化合物を利用することが知られている（非特許文献１，２参照）。α−シクロデキストリンなどの多糖類は、分子の中心に空洞を備えた構造をしており、この空洞内に、他の分子（化合物）を物理的な吸引によって取り込む（包摂する）性質を備えている。
【００２６】
従って、このような特徴を備えたホスト物質１０４をヨウ化カリウム１０３とともに細孔１０１内に配置しておけば、ヨウ化カリウム１０３と酸化性ガスとの反応で生成したヨウ素は、ホスト物質１０４内に取り込まれて包括錯体を形成する。また、ホスト物質１０４は、２０〜２５℃程度の常温では気化することがないため、ヨウ素を取り込んでいる包括錯体が気化することもなく、従って、包括錯体を形成したヨウ素が、気化（蒸発）することもなくなる。
【００２７】
ところで、多孔質ガラス１０２の細孔１０１内には、後述するように、ヨウ化カリウム１０３およびホスト物質１０４などを溶解した検知成分溶液（検知溶液）を浸透させることで、ヨウ化カリウム１０３およびホスト物質１０４を担持させるようにしている。従って、実際には、浸透させた溶液の水分が細孔１０１内（壁面）に吸着して残留する。また、多孔質ガラスなどの多孔体を大気に曝すと、大気中の水分（水蒸気）が細孔１０１内に入り込んで吸着する。これらのことにより、細孔１０１の壁面には薄い水溶液膜１０５が形成されているものと考えられる。
【００２８】
結果として、ガス検知素子１００の細孔１０１の内壁には、ヨウ化カリウム１０３やホスト物質１０４などが溶解している水溶液膜１０５が形成され、これらが細孔１０１内に担持された状態となっている。従って、酸化性ガスを含む雰囲気にガス検知素子１００を晒せば、この酸化性ガスが細孔１０１内に入り込み、ヨウ化カリウム１０３と反応し、ヨウ素が生成され、生成されたヨウ素が、ホスト物質１０４と包接錯体を形成するようになる。
【００２９】
このようにして生成されて包接錯体を形成したヨウ素の存在により、ガス検知素子１００では、ヨウ素の吸収波長である３６５ｎｍ付近の透過率が変化することになり、酸化性ガスを検知したガス検知素子１００は、紫外域に吸収を持つことになる。従って、例えば、分光光度計（吸光光度計）によりガス検知素子１００の吸収スペクトルを測定すれば、発生したヨウ素の測定（定量）を行うことができ、これにより、間接的に酸化性ガスの測定を行うことができる。なお、多孔質ガラス（多孔体）１０２は、ヨウ素の光吸収波長域において光が透過する材料から構成されていればよい。
【００３０】
なお、担持とは、色素，酸性物質などの物質が、化学的，物理的，または電気的に担体（基材）と結合している状態を示し、例えば、多孔体の孔内に色素が浸透（滲入）し、細孔内の壁面に色素が被覆しおよび／または、被着したような状態を示す。
【００３１】
次に、本実施の形態１におけるガス検知素子１００の製造方法について説明する。まず、コーニング社製の多孔質ガラス（バイコール７９３０）１０２を用意する。次に、図２（ａ）に示すように、α−シクロデキストリン４２ｇ及びヨウ化カリウム０．０５ｍｏｌを水に溶解して１リットルとした検知溶液２０１を容器２０２に用意する。なお、検知溶液２０１は、例えば、リン酸緩衝液によってｐＨ＝７．０に調整する。
【００３２】
次に、図２（ｂ）に示すように、多孔質ガラス１０２を検知溶液２０１に浸漬し、検知溶液２０１を多孔質ガラス１０２の複数の細孔１０１に浸透させる。この浸漬処理は、３時間行えばよい。上述したことにより検知成分が浸透した多孔質ガラス１０２を検知溶液２０１より引き上げて風乾する。ある程度に風乾された後、多孔質ガラス１０２を、乾燥窒素中で乾燥させることで多孔質ガラス１０２に含浸されている水分などの溶媒（媒質）を蒸発させて乾燥させる。
【００３３】
例えば、図２（ｃ）に示すように、循環する窒素ガスが充填された所定の容器２０３の内部の窒素ガス気流中に上記の多孔質ガラス１０２を配置し、この状態を５時間程度保持して乾燥することで、本実施の形態１におけるガス検知素子１００が形成された状態とする。このように形成されたガス検知素子１００の複数の細孔１０１には、ヨウ化カリウムおよびα−シクロデキストリンなどを含む検知成分が担持された状態となる。
【００３４】
次に、ガス検知素子１００を用いた酸化性ガスの基本的な検出方法について説明する。まず、図２（ｄ）に示すように、ガス検知素子１００の厚さ方向の吸光度を測定する。なお、図２（ｄ）において、Ｉ0は入射信号光強度、Ｉ1は透過光強度である。次に、図２（ｅ）に示すように、例えば、１００ｐｐｂの濃度のオゾンガスが存在する検出対象の空気２０４中に、ガス検知素子１００を１時間程度晒す。このようにして、ガス検知素子１００の細孔１０１内に配置された検知成分に、酸化性ガスを含む測定対象の気体を接触させた後、ガス検知素子１００を検出対象の空気２０４中より取り出し、図２（ｆ）に示すように、このガス検知素子１００の厚さ方向の吸光度Ｉ2を再び測定する。
【００３５】
この２回の吸光度の測定（吸光光度分析）結果を図３に示す。透過光測定波長３３０ｎｍ以下は、ガス検知素子１００を構成する多孔質ガラス（バイコール７９３０）自体の吸収があるために測定していない。図３では、検出対象の空気に晒す前の吸光度の測定結果を点線で示し、晒した後の吸光度の測定結果を実線で示す。この測定の結果より、波長３２０ｎｍ〜４２０ｎｍの特に３６０ｎｍの付近において、実線と点線との間に大きな差が見られる。このように、オゾンが存在している検出対象の空気に晒した後では、ガス検知素子１００の透過率において、波長３６０ｎｍにおける吸収が増加している。
【００３６】
このことより、オゾンの存在により、ガス検知素子１００においてはヨウ素が生成されていることがわかる。また、この測定の結果が、時間（１時間放置）を経過しても変化しないため、ガス検知素子１００においては、生成（発生）したヨウ素が、蒸発することなく保持されていることがわかる。従って、本実施の形態１におけるガス検知素子１００によれば、細孔１０１内にヨウ化カリウム１０３を備えているため、オゾンなどの酸化性ガスが存在していれば、ヨウ化カリウム１０３が酸化されてヨウ素を生成し、また、生成したヨウ素がホスト物質１０４と包接錯体を形成しているものと考えられる。このため、本実施の形態１におけるガス検知素子１００によれば、蓄積的な測定が可能である。
【００３７】
なお、同様の結果が、β−シクロデキストリン，γ−シクロデキストリン，アミロース，およびアミロペクチンなどの糖類や、ポリビニルアルコールなどの水溶性の高分子をホスト物質として用いた場合においても確認されている。ホスト物質としては、水溶性を備えて、ヨウ素をゲスト物質として包接錯体を形成可能なものであればよい。また、ガス検知素子の多孔体の細孔内に導入する場合には、内項内に配置可能な分離量の範囲とされていればよいものと考えられる。
【００３８】
上述した測定の結果は、オゾンの濃度が１００ｐｐｂの空気にガス検知素子１００を１時間配置した結果の測定であり、吸光度の測定では、波長３６０ｎｍにおける吸光度が０．７５と高い値が得られる。このように、本実施の形態１におけるガス検知素子１００によれば、１００ｐｐｂレベルの高感度のオゾンの検出が可能である。感度指数として暴露量＝濃度（ｐｐｂ）×暴露時間（時間）あたりの最大吸収波長での吸光度変化を求めると、１００ｐｐｂ，１時間暴露で吸光度変化は０．７５であり、感度指数は７．５×１０-3ｐｐｂ-1・ｈｒ-1となり、非常に高い感度が得られていることがわかる。また、測定に用いた機器は、可搬型の分光計であり、この分光計の薄膜測定用ホルダにガス検知素子１００を接地して測定するだけであり、また、単一ピークの変化を観察すればよいので、簡便に測定を行うことができる。
【００３９】
また、本実施の形態１におけるガス検知素子１００によれば、多孔体を用いているために、測定対象ガスと検知成分との反応場となる領域（ガス吸着面積）が非常に広く、単位体積あたりで、酸化性ガスと検知成分との反応をより多く起こさせることできるので、高い感度が得られるようになる。また、蓄積容量も増大させることができる。なお、上述では、オゾンを測定対象ガスとして用いる場合について説明したが、測定対象の酸化性ガスは、オゾンに限るものではない。ガス検知素子１００の細孔１０１内で、ヨウ化カリウム１０３よりヨウ素を遊離させるガスであれば、いずれのガスであっても測定対象となることは明らかである。
【００４０】
ところで、ヨウ化カリウムおよびヨウ素と包接錯体を形成するホスト物質を含む検知成分を多孔体の細孔内に導入する方法として、上述では、検知成分の溶液を多孔体の細孔内に浸透させて乾燥させていたが、これに限るものではない。例えば、蒸着により多孔体の細孔内に検知成分が導入されるようにする方法もある。また、検知成分を他の化合物と混合し、ゾルゲル法により多孔体を作製する際に、これら混合物を細孔内に導入する方法もある。また、低分子を多孔体内に導入し、多孔体内で高分子化する方法もある。
【００４１】
ここで、多孔体をバイコール７９３０などのガラス（硼珪酸ガラス）から構成した場合、多孔体の平均孔径を２０ｎｍ以下とすれば、ヨウ素の吸収波長域の波長の光が透過することは測定の結果判明している。しかし、多孔体の平均孔径が２０ｎｍ以上となると、急激な透過率の減少が観測される。従って、細孔の平均孔径は、最大でも（高々）２０ｎｍとしておけばよい。
【００４２】
次に、上述した本実施の形態１におけるガス検知素子１００に対する比較例について説明する。まず、比較例のガス検知素子の作製について説明すると、前述した実施の形態１のガス検知素子１００の作製と同様であり、前述同様のバイコール７９３０からなる多孔質ガラスを用意し、この比各例１では、α−シクロデキストリンは含まず、ヨウ化カリウム０．０５ｍｏｌのみを水に溶解して１リットルとした比較検知溶液を容器に用意する。なお、比較検知溶液は、例えば、リン酸緩衝液によってｐＨ＝７．０に調整する。
【００４３】
次に、多孔質ガラスを比較検知溶液に浸漬し、比較検知溶液を多孔質ガラスの複数の細孔に浸透させる。この浸漬処理は、３時間行えばよい。上述したことにより検知成分が浸透した多孔質ガラスを検知溶液より引き上げて風乾する。ある程度に風乾された後、多孔質ガラスを、前述同様に、循環する乾燥窒素ガスが充填された中で乾燥させることで多孔質ガラスに含浸されている水分などの溶媒（媒質）を蒸発させて乾燥させる。この乾燥を５時間程度行うことで、比較例の比較ガス検知素子が形成された状態とする。このように形成された比較ガス検知素子の複数の細孔には、ヨウ化カリウムが担持された状態となる。
【００４４】
次に、比較ガス検知素子を用いた酸化性ガスの基本的な検出方法について説明する。まず、比較ガス検知素子の厚さ方向の吸光度（透過光強度Ｉ1）を測定する。次に、１００ｐｐｂの濃度のオゾンガスが存在する検出対象の空気中に、比較ガス検知素子を１時間程度晒す。この後、比較ガス検知素子を検出対象の空気中より取り出し、この比較ガス検知素子の厚さ方向の吸光度Ｉ2を再び測定する。
【００４５】
上述した２回の吸光度の測定（吸光光度分析）結果を図４に示す。透過光測定波長３３０ｎｍ以下は、比較ガス検知素子を構成する多孔質ガラス（バイコール７９３０）自体の吸収があるために測定していない。図４では、検出対象の空気に晒す前の吸光度の測定結果を点線で示し、晒した後の吸光度の測定結果を実線で示す。この測定の結果より、波長３２０ｎｍ〜４２０ｎｍの特に３６０ｎｍの付近において、実線と点線との間に差が見られる。このように、オゾンが存在している検出対象の空気に晒した後では、比較ガス検知素子の透過率においても、波長３６０ｎｍにおける吸収が増加している。
【００４６】
しかしながら、比較例の比較ガス検知素子では、波長３６０ｎｍにおける吸光度の変化が、０．１５程度とあまり大きくなく、高い感度は得られていない。加えて、上述した１時間の測定の後、オゾンなどの酸化性ガスが含まれていない空気中に比較ガス検知素子を１時間放置すると、図５の点線に示すように、吸光度が徐々に低下する。これは、酸化性ガスの存在により細孔中で発生（遊離）したヨウ素が、蒸発してガス検知素子より減少するためと考えられる。これに対し、本発明の実施の形態１におけるガス検知素子１００では、図５の実線に示すように、前述した１時間の測定の後、オゾンなどの酸化性ガスが含まれていない空気中に比較ガス検知素子を１時間放置しても、吸光度は変化しない。
【００４７】
ところで、上述した実施の形態１におけるガス検知素子１００を用いることで、例えば、図６の構成図に示す測定装置が構成できる。この測定装置は、例えば、波長３６５ｎｍの光を発するＬＥＤからなる発光部６０１からの発光光を、ガス検知素子１００に照射し、ガス検知素子１００の透過光を受光部６０３で受光する。この受光部６０３では、受光光を光電変換して信号電流を出力する。変換増幅部６０４では、受光部６０３より出力された信号電流を増幅して電流−電圧変換する。変換増幅部６０４で増幅された酸化性ガスの検出濃度に対応する電圧信号は、Ａ／Ｄ変換部６０５でデジタル信号に変換される。
【００４８】
ここで、受光部６０３は、例えば、フォトダイオードである。このフォトダイオードとしては、例えば、１９０〜１０００ｎｍの波長に感度のあるものを用いればよい。また、発光部６０１と受光部６０３は、発光部分と受光部分とが対向して配置されている。
また、発光部６０１，検知素子１００，受光部６０３，変換増幅部６０４，Ａ／Ｄ変換部６０５，出力検出部６０６は、電源となる二次電池とともに、１２ｃｍ×６ｃｍ程度の面積を有する容器内に配置され、通気口が形成された板で蓋がされ、遮光された状態で測定環境に配置される。
【００４９】
上記の測定装置は、例えば１２ｃｍ×６ｃｍ程度の基板上内に、発光部として波長３６５ｎｍの光を発するＬＥＤと、このＬＥＤの発光面に対向して受光面が配置されるように、受光部としてフォトダイオードを配置し、ＬＥＤとフォトダイオードの間にガス検知素子を配置し、ＬＥＤとフォトダイオードには、端子板を介して直列に接続配置した２つの単３の二次電池から電源が供給される構成とし、電源の供給は、スイッチによりオンオフできるように構成すればよい。また、端子板を備えれば、端子板の端子を利用して回路を組み立てることが容易にできるようになる。上記の構成において、フォトダイオードからの出力電流を電圧に変換した後、抵抗などを用いて出力電圧が、１桁（Ｖ）のオーダーとなるようにしてもよい。
【００５０】
［実施の形態２］
次に、本発明の実施の形態２について説明する。本実施の形態２では、前述したヨウ化カリウムおよびホスト物質を含む検知成分を用いた酸化性ガスの測定を、多孔体の細孔内ではなく、より容積の大きな容器内で行う。言い換えると、本実施の形態２では、上記検知成分が溶解した検知溶液を用いて酸化性ガスの測定を行うようにしたところに特徴がある。
【００５１】
まず、本実施の形態２における検知溶液の作製について説明する。図７（ａ）に示すように、α−シクロデキストリン４２ｇ及びヨウ化カリウム０．０５ｍｏｌを水に溶解して１リットルとした検知溶液７０１をビーカーなどの容器７０２に用意する。なお、検知溶液７０１は、例えば、リン酸緩衝液によってｐＨ＝７．０に調整する。このように形成された検知溶液７０１には、ヨウ化カリウムおよびα−シクロデキストリンなどを含む検知成分が同時に存在している状態となる。
【００５２】
次に、検知溶液７０１を用いた酸化性ガスの基本的な検出方法について説明する。まず、図７（ｂ）に示すように、容器７０２内の一部の検知溶液７０１を所定の測定容器７０４に収容（分取）して吸光度を測定する。測定容器７０４は、例えば、石英やガラスなどから構成された透明な容器である。なお、図７（ｂ）において、Ｉ0は入射信号光強度、Ｉ1は透過光強度である。次に、図７（ｃ）に示すように、例えば、１００ｐｐｂの濃度のオゾンガスが存在する検出対象の空気７０４を、容器７０２に収容されている検知溶液７０１中にバブリング（通気）する。空気７０４の通気速度は５００ミリリットル／ｍｉｎとし、また、通気時間は３０分とする。このようにして、検知成分（検知溶液７０１）に酸化性ガスが含まれた測定対象の気体を接触させた後、図７（ｄ）に示すように、一部の検知溶液７０１を測定容器７０４に再度分取し、吸光度Ｉ2を測定する。
【００５３】
この２回の吸光度の測定（吸光光度分析）結果を図８に示す。図８では、検出対象の空気をバブリングする前の吸光度の測定結果を点線で示し、バブリングした後の吸光度の測定結果を実線で示す。この測定の結果より、波長４００ｎｍ以下の特に３６０ｎｍの付近において、実線と点線との間に差が見られる。このように、オゾンが存在している検出対象の空気に晒した後では、検知溶液７０１の透過率において、波長３６０ｎｍにおける吸収が増加している。
【００５４】
このことより、オゾンの存在により、検知溶液７０１においてはヨウ素が生成されていることがわかる。また、この測定の結果が、時間（１時間放置）を経過しても変化しないため、検知溶液７０１においては、生成（発生）したヨウ素が、蒸発することなく保持されていることがわかる。従って、本実施の形態２における酸化性ガスの測定方法によれば、検知溶液７０１にヨウ化カリウムを備えているため、オゾンなどの酸化性ガスが存在していれば、ヨウ化カリウムよりヨウ素が遊離され、また、遊離したヨウ素がホスト物質と包接錯体を形成しているものと考えられる。このため、本実施の形態２における検知溶液７０１を用いた酸化性ガスの測定方法によれば、蓄積的な測定が可能である。
【００５５】
ここで、検知溶液７０１を用いた酸化性ガスの測定方法における感度指数を求めると、１００ｐｐｂ，０．５時間暴露で吸光度変化は０．０３であり、感度指数は６×１０-4ｐｐｂ-1・ｈｒ-1となる。このように、本実施の形態２における検知溶液７０１を用いた酸化性ガスの測定方法では、前述した実施の形態１におけるガス検知素子１００を用いた場合に比較して、感度が低いものとなる。なお、ホスト物質としては、前述した実施の形態１と同様であり、水溶性を備えて、ヨウ素をゲスト物質として包接錯体を形成可能なものであればよい。
【図面の簡単な説明】
【００５６】
【図１】本発明の実施の形態１におけるガス検知素子１００の一部構成を模式的に示す概略的な断面図である。
【図２】本実施の形態１におけるガス検知素子１００の製造方法および測定方法について説明する工程図である。
【図３】吸光度の測定（吸光光度分析）結果を示す特性図である。
【図４】吸光度の測定結果を示す特性図である。
【図５】吸光度の測定結果を示す特性図である。
【図６】実施の形態１におけるガス検知素子１００を用いた測定装置の構成例を示す構成図である。
【図７】本実施の形態２における検知溶液の作製および測定方法について説明する工程図である。
【図８】吸光度の測定結果を示す特性図である。
【符号の説明】
【００５７】
１００…ガス検知素子、１０１…細孔、１０２…多孔質ガラス（多孔体）、１０３…ヨウ化カリウム、１０４…ホスト物質、１０５…水溶液膜。
【図１】
0004891283.tif 000002
【図２】
0004891283.tif 000003
【図３】
0004891283.tif 000004
【図４】
0004891283.tif 000005
【図５】
0004891283.tif 000006
【図６】
0004891283.tif 000007
【図７】
0004891283.tif 000008
【図８】
0004891283.tif 000009